(57)【要約】【課題】    簡単な構造にできてコスト増加を招くことなく、かつ開閉操作が容易にできる建具を提供すること。【解決手段】下部可動障子１０Ａがバランサ１５の付勢力で上方に付勢されるとともに、下部可動障子１０Ａおよび上部可動障子１０Ｂが連動機構１７で連結されているので、これらの各可動障子１０Ａ，１０Ｂの両方を上方に付勢する必要がなく、バランサ１５の構造を簡単化して製造コストの増大を防止することができる。さらに、連動機構１７によって、下部可動障子１０Ａの開閉移動に連動して上部可動障子１０Ｂが開閉移動されるので、下部可動障子１０Ａのみを開閉操作するだけで、上部可動障子１０Ｂも開閉させることができ、開閉操作を容易に実施することができるとともに、一度の開閉操作で上げ下げ窓１を大きく開口させるあるいは閉じることもでき、操作性を向上させることができる。【選択図】  図１
2006328819.tif 000002
【特許請求の範囲】
【請求項１】
上枠、下枠、および左右の縦枠を有する窓枠と、この窓枠内に支持された少なくとも上下二段の障子とを備え、
前記上下二段の障子は、それぞれ前記縦枠に沿って上下にスライド自在に設けられるとともに、当該上下二段の障子のうちの一方が前記窓枠上部に設けられた付勢手段で上方に付勢され、一方の障子の開閉移動に連動して他方の障子を開閉移動させる連動手段を介して互いに連結されている建具。
【請求項２】
前記連動手段は、前記他方の障子の縦框に設けられた無端紐状の連結材と、この連結材を当該縦框に沿った長円状に回転案内する案内手段とを有して構成され、前記連結材上の対向位置には、一方が前記一方の障子に連結され、他方が前記窓枠に対して移動不能に連結される一対の連結部が設けられ、
前記他方の障子は、前記一方の障子の開閉移動に伴って前記連結材が回転することで、当該一方の障子の移動距離に対して略半分の距離だけ開閉移動される請求項１に記載の建具。
【請求項３】
前記上下二段の障子は、前記窓枠内の室内寄りに支持された前記一方の障子と、一方の障子よりも室外側に支持された前記他方の障子とからなり、これら一方および他方の障子よりも室外側には、前記窓枠の上部に固定された固定障子が設けられ、
前記一方の障子は、その下端縁が前記下枠に当接し、かつ当該一方の障子の上端縁が前記他方の障子の下端縁と見込み方向に重なる閉鎖位置と、当該一方の障子が前記固定障子および他方の障子の室内側に重なる開放位置との間を開閉可能に構成され、
前記他方の障子は、その下端縁が前記一方の障子の上端縁と見込み方向に重なり、かつ当該他方の障子の上端縁が前記固定障子の下端縁と見込み方向に重なる閉鎖位置と、当該他方の障子が前記固定障子の室内側かつ前記一方の障子の室外側に重なる開放位置との間を開閉可能に構成されている請求項１または請求項２に記載の建具。
【発明の詳細な説明】
【技術分野】
【０００１】
本発明は、建具に関し、詳しくは、窓枠と、この窓枠内に支持された少なくとも上下二段の障子とを備えた上げ下げ窓等の建具に関する。
【背景技術】
【０００２】
建物の外壁開口部に設けられる窓（サッシ窓）として、上下一対の障子を備えた上げ下げ窓が知られている（例えば、特許文献１参照）。
特許文献１に記載された上げ下げ窓は、窓枠と、この窓枠内に上下にスライド開閉自在に設けられた室外障子（上部障子）および室内障子（下部障子）を備えて構成されている。そして、窓枠の上部（上枠）には、室外障子および室内障子の各々とワイヤで連結されたバランサ（付勢手段）が設けられており、このバランサによって各障子がその重量に応じた付勢力で上方に付勢され、小さな操作力で開閉操作できるように構成されている。
【０００３】
【特許文献１】特開２００３−４９５７８号公報
【発明の開示】
【発明が解決しようとする課題】
【０００４】
しかしながら、前記特許文献１に記載の上げ下げ窓では、室内外の各障子を上方に付勢することから、各々の障子に対応した一対のばねをバランサに設ける必要があり、バランサの構造が複雑化してしまい、製造コストが増大するという問題がある。
また、室内外の各障子がそれぞれ独立して開閉操作されるため、特に室外障子を上部障子とした場合には、この上部障子に手が届きにくくなって開閉操作が困難になってしまうという問題もある。
【０００５】
本発明の目的は、簡単な構造にできてコスト増加を招くことなく、かつ開閉操作が容易にできる建具を提供することにある。
【課題を解決するための手段】
【０００６】
本発明の建具は、上枠、下枠、および左右の縦枠を有する窓枠と、この窓枠内に支持された少なくとも上下二段の障子とを備え、前記上下二段の障子は、それぞれ前記縦枠に沿って上下にスライド自在に設けられるとともに、当該上下二段の障子のうちの一方が前記窓枠上部に設けられた付勢手段で上方に付勢され、一方の障子の開閉移動に連動して他方の障子を開閉移動させる連動手段を介して互いに連結されていることを特徴とする。
【０００７】
ここで、少なくとも上下二段の障子は、上下一対の２枚の障子（上部障子および下部障子）から構成されていてもよく、３枚以上の障子から構成されていてもよい。
【０００８】
以上の本発明によれば、上下二段の障子を連動手段で連結し、一方の障子を付勢手段で上方に付勢する、つまり上下二段の障子の各々を上方に付勢する必要がないので、従来のように一対のばねを用いずに付勢手段（バランサ）を構成することができ、その構造を簡単化して製造コストの増大を防止することができる。さらに、一方の障子の開閉移動に連動して他方の障子が開閉移動するように構成したので、例えば、一方の障子のみを開操作（または閉操作）するだけで、他方の障子も開放（または閉鎖）させることができ、開閉操作を容易に実施することができるとともに、一度の開閉操作で建具を大きく開口させる、あるいは建具を閉じることもでき、操作性を向上させることができる。
【０００９】
この際、本発明の建具では、前記連動手段は、前記他方の障子の縦框に設けられた無端紐状の連結材と、この連結材を当該縦框に沿った長円状に回転案内する案内手段とを有して構成され、前記連結材上の対向位置には、一方が前記一方の障子に連結され、他方が前記窓枠に対して移動不能に連結される一対の連結部が設けられ、前記他方の障子は、前記一方の障子の開閉移動に伴って前記連結材が回転することで、当該一方の障子の移動距離に対して略半分の距離だけ開閉移動されることが好ましい。
【００１０】
このような構成によれば、無端紐状の連結材（例えば、環状のロープや無端ベルト、チェーン等）が案内手段（例えば、一対の滑車やローラ、案内溝等）に案内され、一方の連結部に連結された一方の障子の開閉移動に伴って連結材が回転することで、窓枠に対して不動の他方の連結部を起点にして他方の障子が開閉移動されることとなる。そして、このような連動手段によれば、他方の障子が一方の障子に対して略半分の移動距離（移動速度）で移動されるので、開放状態において一方および他方の障子が重なるようにして大きな開口を形成でき、この開口を通して通気や換気を効果的に実施することができる。
【００１１】
また、本発明の建具では、前記上下二段の障子は、前記窓枠内の室内寄りに支持された前記一方の障子と、一方の障子よりも室外側に支持された前記他方の障子とからなり、これら一方および他方の障子よりも室外側には、前記窓枠の上部に固定された固定障子が設けられ、前記一方の障子は、その下端縁が前記下枠に当接し、かつ当該一方の障子の上端縁が前記他方の障子の下端縁と見込み方向に重なる閉鎖位置と、当該一方の障子が前記固定障子および他方の障子の室内側に重なる開放位置との間を開閉可能に構成され、前記他方の障子は、その下端縁が前記一方の障子の上端縁と見込み方向に重なり、かつ当該他方の障子の上端縁が前記固定障子の下端縁と見込み方向に重なる閉鎖位置と、当該他方の障子が前記固定障子の室内側かつ前記一方の障子の室外側に重なる開放位置との間を開閉可能に構成されていることが好ましい。
【００１２】
このような構成によれば、一方の障子を室内側に設け、その室外側に他方の障子を設けるとともに、閉鎖状態において一方の障子が窓枠下部に配置されるように建具を構成したことで、一方の障子の開閉操作が一層容易になって操作性をさらに向上させることができる。そして、他方の障子が一方の障子と窓枠上部の固定障子との間の操作しにくい位置に配置されていても、一方の障子を開閉操作するだけで、これに連動して他方の障子も開閉されるので、良好な操作性を確保することができる。さらに、固定障子と一方および他方の障子とが、窓枠上部において見込み方向に重なって開放されるので、これらの下側に大きな開口を形成することができ、通気性をより一層良好にすることができる。また、一方および他方の障子を閉じた状態において、略目字形のバランスのよい外観が得られ、建具の意匠性を良好にすることができる。
【発明を実施するための最良の形態】
【００１３】
以下、本発明の実施形態を図面に基づいて説明する。
図１(Ａ)〜(Ｃ)は、本発明の実施形態に係る建具である上げ下げ窓１の概略構成を示す縦断面図である。図２(Ａ)，(Ｂ)は、上げ下げ窓１を室内側から見た斜視図である。図３および図４は、それぞれ上げ下げ窓１の障子１０を示す斜視図および分解斜視図である。ここで、図１(Ａ)および図２(Ａ)は、それぞれ閉じた状態の上げ下げ窓１を示し、図１(Ｃ)および図２(Ｂ)は、それぞれ開いた状態の上げ下げ窓１を示し、図１(Ｂ)は、開閉途中の上げ下げ窓１を示している。
図１および図２において、上げ下げ窓１は、戸建て住宅等の建物の外壁２における開口部３に設けられて建物の室内空間と室外空間とを仕切るものである。
【００１４】
上げ下げ窓１は、上枠６、下枠７、および左右の縦枠８を四周枠組みした窓枠５と、この窓枠５の内側に支持された３枚の障子１０（下部可動障子１０Ａ、上部可動障子１０Ｂ、固定障子１０Ｃ）を備えて構成されている。窓枠５は、外壁２の室外側側面において開口部３周辺の柱や壁パネル等の建物躯体に固定されている。障子１０は、それぞれ上框１１、下框１２、および左右の縦框１３を四周框組みした内部に、ガラスパネル（面材）１４を嵌め込んで構成されている。そして、３枚の障子１０Ａ，１０Ｂ，１０Ｃは、互いに略同一の高さ寸法を有して形成されている。
【００１５】
３枚の障子１０のうち、一方の障子である下部可動障子１０Ａは、窓枠５内の室内寄りに支持され、上部可動障子１０Ｂは、下部可動障子１０Ａよりも室外側に支持されるとともに、これら下部および上部可動障子１０Ａ，１０Ｂは、それぞれ窓枠１０の縦枠８に案内されて上下にスライド可能に支持されている。また、固定障子１０Ｃは、上部可動障子１０Ｂよりも室外側において、その上框１１を上枠６に当接した状態で窓枠５に固定されている。そして、下部可動障子１０Ａの下框（下端縁）１２と下枠７とが当接し、下部可動障子１０Ａの上框（上端縁）１１と上部可動障子１０Ｂの下框（下端縁）１２とが見込み方向に重なり、上部可動障子１０Ｂの上框（上端縁）１１と固定障子１０Ｃの下框（下端縁）１２とが見込み方向に重なって、上げ下げ窓１が閉じるようになっている。そして、下部可動障子１０Ａおよび上部可動障子１０Ｂは、固定障子１０Ｃの室内側に重なる開放位置まで移動可能に構成されており、この開放状態において、下部および上部の可動障子１０Ａ，１０Ｂおよび固定障子１０Ｃの下側に開口Ｏが形成されるようになっている。
【００１６】
下部可動障子１０Ａには、窓枠５の上部に設けられた付勢手段であるバランサ１５から延びるロープ１６が連結されている。また、下部可動障子１０Ａの下框１２には、下部可動障子１０Ａを開閉操作するための把手１２Ａ（図３、図４）が取り付けられている。バランサ１５は、下部および上部の可動障子１０Ａ，１０Ｂの重量に釣り合うだけの付勢力で下部可動障子１０Ａを上方に付勢するもので、図示しない定荷重ばねを有して構成されている。ロープ１６は、縦枠８内を下方に延びて設けられ、その下端が下部可動障子１０Ａの下框１２に結合されている。一方、下部可動障子１０Ａと上部可動障子１０Ｂとは、連動機構（連動手段）１７を介して互いに連結されており、下部可動障子１０Ａの上方への開移動に連動して上部可動障子１０Ｂが上方に開移動され、下部可動障子１０Ａの下方への閉移動に連動して上部可動障子１０Ｂが下方へ閉移動されるようになっている。
【００１７】
連動機構１７は、図１、図３および図４に示すように、上部可動障子１０Ｂの縦框１３に設けられた無端紐状の連結材である無端ベルト１７Ａと、縦框１３内部における上下に設けられて無端ベルト１７Ａが巻回される２つの滑車１７Ｅと、無端ベルト１７Ａを縦框１３に沿った長円状に回転案内する案内手段である案内溝１７Ｂとを有して構成されている。そして、無端ベルト１７Ａ上の対向位置には、一対の連結部である連結ピン１７Ｃが設けられ、これら一対の連結ピン１７Ｃのうち、一方の連結ピン１７Ｃには、下部可動障子１０Ａの上部に設けられた連結アーム１７Ｄが連結され、他方の連結ピン１７Ｃには、固定障子１０Ｃの下部に設けられた連結アーム１７Ｄが連結されている。すなわち、他方の連結ピン１７Ｃは、窓枠５に対して移動不能に設けられ、下部可動障子１０Ａの開閉移動に伴って一方の連結ピン１７Ｃが移動し、無端ベルト１７Ａが案内溝１７Ｂ内で回転することで、上部可動障子１０Ｂが開閉移動されるようになっている。そして、上部可動障子１０Ｂの開閉移動距離（移動速度）は、下部可動障子１０Ａの開閉移動距離（移動速度）に対して略半分となっており、下部可動障子１０Ａおよび上部可動障子１０Ｂは、ほぼ同時に閉鎖位置または開放位置に達するようになっている。
【００１８】
このような本実施形態によれば、以下のような効果がある。
（１）すなわち、下部可動障子１０Ａがバランサ１５の付勢力で上方に付勢されるとともに、下部可動障子１０Ａおよび上部可動障子１０Ｂが連動機構１７で連結されているので、これらの各可動障子１０Ａ，１０Ｂの両方を上方に付勢する必要がなく、バランサ１５の構造を簡単化して製造コストの増大を防止することができる。
【００１９】
（２）さらに、下部可動障子１０Ａの開閉移動に連動して上部可動障子１０Ｂが開閉移動されるので、下部可動障子１０Ａのみを開操作（または閉操作）するだけで、上部可動障子１０Ｂも開放（または閉鎖）させることができ、開閉操作を容易に実施することができるとともに、一度の開閉操作で上げ下げ窓１を大きく開口させるあるいは閉じることもでき、操作性を向上させることができる。
【００２０】
（３）そして、下部可動障子１０Ａを室内側に設け、その室外側に上部可動障子１０Ｂを設けるとともに、閉鎖状態において下部可動障子１０Ａが窓枠５下部に配置されるようになっているので、下部可動障子１０Ａの開閉操作が一層容易になって操作性をさらに向上させることができる。
【００２１】
（４）また、固定障子１０Ｃと上部および下部の可動障子１０Ａ，１０Ｂとが、窓枠５上部において見込み方向に重なって開放されるので、これらの下側に大きな開口Ｏを形成することができ、良好な通気性や換気性能を確保することができる。つまり、従来の上げ下げ窓のように２枚の障子で構成されたものであれば、開口部の上下寸法の略１／２の大きさの開口しか得られなかったのに対して、本実施形態の上げ下げ窓１によれば、開口部の上下寸法の略２／３の寸法を有した大きな開口Ｏが得られる。さらに、可動障子１０Ａ，１０Ｂを閉じた状態において、略目字形のバランスのよい外観が得られ、上げ下げ窓１の意匠性を良好にすることができる。
【００２２】
なお、本発明は、前記実施形態に限定されるものではなく、本発明の目的を達成できる他の構成等を含み、以下に示すような変形等も本発明に含まれる。
例えば、前記実施形態において、窓枠５に固定した固定障子１０Ｃに替えて、窓枠５に対して適宜な開閉形式に支持された可動障子を用いてもよい。
さらに、下部可動障子１０Ａや上部可動障子１０Ｂがスライド開閉に併せて、内倒し開閉や突出し開閉等の適宜な開閉形式で開閉可能に構成されていてもよい。
【００２３】
また、前記実施形態では、下部可動障子１０Ａ、上部可動障子１０Ｂ、および固定障子１０Ｃが互いに略同一の高さ寸法を有して形成されていたが、これに限らず、互いに異なる高さ寸法で形成されていてもよい。
また、下部可動障子１０Ａよりも上部可動障子１０Ｂが室外側に設けられ、上部可動障子１０Ｂよりも固定障子１０Ｃが室外側に設けられたものに限らず、下部可動障子１０Ａが窓枠５内の室外寄りに設けられ、その室内側に上部可動障子１０Ｂが設けられ、さらにその室内側に固定障子１０Ｃが設けられていてもよい。
さらに、閉じた状態で一方の障子が窓枠５の上部に位置し、他方の障子が窓枠５の中間部に位置し、固定障子が窓枠５の下部に位置するように各障子を配置してもよい。
また、連動手段の構成は、前記実施形態の連動機構１７の構成に限らず、適宜なリンク機構を用いたものであってもよい。
【００２４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２５】
【図１】(Ａ)〜(Ｃ)は、本発明の実施形態に係る建具の概略構成を示す縦断面図である。
【図２】(Ａ)，(Ｂ)は、前記建具を室内側から見た斜視図である。
【図３】前記建具の障子を示す斜視図である。
【図４】前記建具の障子を示す分解斜視図である。
【符号の説明】
【００２６】
５…窓枠、６…上枠、７…下枠、８…縦枠、１０…障子、１０Ａ…一方の障子である下部可動障子、１０Ｂ…他方の障子である上部可動障子、１０Ｃ…固定障子、１１…障子の上端縁である上框、１２…障子の下端縁である下框、１３…縦框、１５…付勢手段であるバランサ、１７…連動機構（連動手段）、１７Ａ…連結材である無端ベルト、１７Ｂ…案内手段である案内溝、１７Ｃ…連結部である連結ピン。
【図１】
2006328819.tif 000003
【図２】
2006328819.tif 000004
【図３】
2006328819.tif 000005
【図４】
2006328819.tif 000006